(57)【要約】【課題】どの機種を撤去して新たな機種に入れ替えるべきかを勘や経験に頼らずに誰もが把握できる遊技場営業管理装置を提供する。【解決手段】データ収集手段１１１は遊技場に設置されている各遊技機から稼動情報を収集するとともに、遊技媒体貸出機やカード販売機から売上情報を収集する。固定ディスク装置１３０は、データ収集手段１１１が収集した情報を長期間に亘って蓄積記憶する。データ加工手段１１２の撤去順位導出手段１２１は、固定ディスク装置１３０に蓄積記憶されている稼動情報および売上情報のうち指定された判定対象期間（たとえば直近の１ヶ月）に収集された情報に基づいて、所定の管理項目（台粗利など）に係わる偏差値を遊技機の機種別に求め、これらの偏差値を比較することで、各機種に、この遊技場から撤去すべき優先順位を付与する。【選択図】図１
2005192998.tif 000002
【特許請求の範囲】
【請求項１】
遊技場に設置されている遊技機から稼動情報を収集するとともに、遊技媒体貸出機やカード販売機から売上情報を収集するデータ収集手段と、
前記データ収集手段が収集した稼動情報および売上情報を蓄積記憶するデータ蓄積手段と、
指定された管理項目に係わる偏差値を、前記データ蓄積手段に蓄積記憶されている稼動情報および売上情報のうち指定された判定対象期間に収集された情報に基づいて遊技機の機種別に求め、これらの偏差値を比較することで、各機種にこの遊技場から撤去すべき優先順位を付与する撤去順位導出手段と
を有する
ことを特徴とする遊技場営業管理装置。
【請求項２】
前記偏差値を求める対象項目に指定する１または２以上の管理項目の選択を受け付ける項目選択手段を有する
ことを特徴とする請求項１に記載の遊技場営業管理装置。
【請求項３】
前記判定対象期間の指定を受け付ける期間指定手段を有する
ことを特徴とする請求項１または２に記載の遊技場営業管理装置。
【請求項４】
遊技場内の遊技機を複数にグループ分けし、それぞれのグループを母集団として偏差値を求め、各機種に、それぞれが属するグループ内での撤去すべき優先順位を付与する
ことを特徴とする請求項１、２または３に記載の遊技場営業管理装置。
【請求項５】
遊技機の仕入れ価格である機械代の入力を機種ごとに受け付ける機械代入力手段と、
機種ごとの粗利の目標値を前記機械代に対する比率で表した目標回収倍率の入力を受け付ける目標回収倍率入力手段と、
前記データ蓄積手段に蓄積記憶されている稼動情報および売上情報から、導入後の粗利の総額である総粗利を遊技機の機種別に求める総粗利演算手段と、
機械代と総粗利とから前記目標回収倍率の達成状況を表わす収支情報を機種別に求めて出力する収支情報導出手段と
をさらに有する
ことを特徴とする請求項１、２、３または４に記載の遊技場営業管理装置。
【請求項６】
複数の遊技場から情報を収集し、各機種に付与したそれぞれの遊技場内での撤去すべき優先順位を遊技場相互間で対比可能に表示する
ことを特徴とする請求項１、２、３、４または５に記載の遊技場営業管理装置。
【請求項７】
複数の遊技場から情報を収集し、撤去すべき優先順位が、一の遊技場で上位にあり、かつ他の遊技場で下位にある機種を抽出して通知する
ことを特徴とする請求項１、２、３、４、５または６に記載の遊技場営業管理装置。
【請求項８】
インターネットを通じて遊技機情報を収集する遊技機情報収集手段をさらに有し、
前記撤去順位導出手段で求めた撤去すべき優先順位と前記遊技機情報収集手段が収集した遊技機情報とを機種毎に対比して表示する
ことを特徴とする請求項１、２、３、４、５、６または７に記載の遊技場営業管理装置。
【請求項９】
前記遊技機情報収集手段は、前記遊技機情報として遊技機の中古価格を収集する
ことを特徴とする請求項８に記載の遊技場営業管理装置。
【請求項１０】
前記遊技機情報収集手段は、同一機種の中古価格を複数のサイトから収集し、これらの中古価格と撤去すべき優先順位とを機種毎に対比して表示する
ことを特徴とする請求項９に記載の遊技場営業管理装置。
【請求項１１】
複数のサイトから収集した同一機種に対する複数の中古価格を所定の規則で並べ替えて表示する
ことを特徴とする請求項１０に記載の遊技場営業管理装置。
【請求項１２】
複数のサイトから収集した同一機種に対する複数の中古価格の中の最高価格のみを、もしくは最高価格を他の価格と識別可能な態様で、撤去すべき優先順位と対比して表示する
ことを特徴とする請求項１０に記載の遊技場営業管理装置。
【請求項１３】
前記撤去順位導出手段で求めた撤去すべき優先順位を基準に遊技機の機種を複数にグループ分けし、各グループ内で中古価格を基準に機種を順位付けする
ことを特徴とする請求項８に記載の遊技場営業管理装置。
【請求項１４】
前記対比表示をメーカ別にグループ分けして行なう
ことを特徴とする請求項８に記載の遊技場営業管理装置。
【発明の詳細な説明】
【技術分野】
【０００１】
本発明は、複数の機種の遊技機が多数設置された遊技場の営業状態を管理する遊技場営業管理装置に関する。
【背景技術】
【０００２】
通常、パチンコ店などの遊技店では、パチンコ機やスロットマシンなどの遊技機、パチンコ玉やメダルなどの遊技媒体を遊技者に貸し出す遊技媒体貸出機などが店内に多数設置されている。そして、各遊技機の稼働情報や売上情報を、ホール管理コンピュータなどの管理装置で収集・分析して営業管理を行なっている。たとえば、営業時間中に各パチンコ機からの稼働情報を逐次取り入れておき、営業終了時に、当日の売上や粗利、割数などを算出して表示し、翌日の営業の参考に供するようになっている（たとえば、特許文献１参照。）。
【０００３】
また、稼動情報や売上情報を長期に亘って蓄積記憶し、１ヶ月や数ヶ月分のデータに基づく割数や粗利などを営業指標として導出可能な営業管理装置もある（たとえば、特許文献２参照。）。
【０００４】
【特許文献１】特開２０００−２４２７８号公報
【特許文献２】特開２００２−２２４３９１号公報
【発明の開示】
【発明が解決しようとする課題】
【０００５】
ところで、遊技店では、集客力を維持するために、１ヶ月から２ヶ月で次々と遊技機を入れ替えることが行なわれる。そして、既に遊技場に設置されている多数の機種の中からどの機種を次に撤去して新たな機種に入れ替えるべきかを的確に判断することが、限られた予算内で効率よく経営する上で重要な問題になっている。
【０００６】
しかしながら、従来の管理装置では、機種別の割数や粗利などが表示されるだけなので、これらの情報に基づいて、どの機種を撤去すべきかを勘や経験で判断しなければならず、撤去すべき最適な機種を誰もが容易に選定することができなかった。
【０００７】
また、複数の系列店を経営する場合には、ある店で稼動効率が悪くても地域の異なる他店で同じ機種が高い稼働率を示すこともあるので、撤去する機種を他の系列店に廻して有効活用するための支援機能が管理装置に望まれていた。
【０００８】
さらにまた、遊技機には中古市場があるので、遊技機を遊技場相互間で再利用すべきか中古市場に放出すべきかを判断することが望ましい。しかし、中古価格を調査し、その結果を有益な判断材料として活用可能な状態にまで整理するには相当の労力を要するという問題がある。
【０００９】
本発明は、上記の問題を解決しようとするものであり、本発明の目的は、どの機種を撤去して新たな機種に入れ替えるべきかを勘や経験に頼らずに誰もが把握できる遊技場営業管理装置を提供することにある。
【００１０】
また本発明の他の目的は、撤去する機種を他店に廻して有効活用するための支援が可能な遊技場営業管理装置を提供することにある。
【００１１】
さらに本発明の他の目的は、撤去する機種を中古市場に放出すべきかの判断を支援可能な遊技場営業管理装置を提供することにある。
【課題を解決するための手段】
【００１２】
請求項１に係わる発明は、遊技場に設置されている遊技機（１０）から稼動情報を収集するとともに、遊技媒体貸出機やカード販売機から売上情報を収集するデータ収集手段（１１１）と、
前記データ収集手段（１１１）が収集した稼動情報および売上情報を蓄積記憶するデータ蓄積手段（１３０）と、
指定された管理項目に係わる偏差値を、前記データ蓄積手段（１３０）に蓄積記憶されている稼動情報および売上情報のうち指定された判定対象期間に収集された情報に基づいて遊技機（１０）の機種別に求め、これらの偏差値を比較することで、各機種にこの遊技場から撤去すべき優先順位を付与する撤去順位導出手段（１２１）と
を有する
ことを特徴とする遊技場営業管理装置である。
【００１３】
上記発明によれば、指定された判定対象期間中に収集された稼動情報や売上情報に基づいて、遊技機（１０）の稼動状態や利益状態などが反映されるいくつかの管理項目の偏差値を機種別に求め、それらを比較することで、各機種に、この遊技場から撤去すべき優先順位が付与される。この優先順位を参照することで、管理者は、勘や経験に頼ることなく、この遊技場から優先的に撤去すべき機種を認識することが可能になる。
【００１４】
データ蓄積手段（１３０）には、複数の営業日数分のデータが蓄積される。たとえば、過去数ヶ月〜１年分のデータが蓄積される。遊技機（１０）の種類は問わないが、代表的なものに、パチンコ機やスロットマシンがある。
【００１５】
稼動情報には、たとえば、遊技機（１０）がパチンコ機の場合には、入玉数（遊技者が遊技機（１０）に投入した遊技媒体の数）や出玉数（遊技者が遊技で獲得した遊技媒体数の数）などがある。売上情報は、現金やカードによる売り上げ金額などである。遊技機（１０）や遊技媒体貸出機から収集したこれらの情報（素データという）は、そのまま利用されるほか、各種の演算や加工が施され、多種多様な営業データに変換されて利用される。たとえば、営業データには、粗利や割数などがある。
【００１６】
管理項目は、素データや営業データの中から指定される。偏差値を求める対象として指定する管理項目は、１項目でも複数項目でもよい。特定の項目に固定してもよいが、遊技場の営業形態などに応じて選択可能に構成することが好ましい。複数の管理項目を対象として偏差値を求める場合には、各管理項目について、（偏差÷標準偏差）を求め、これらの平均値から偏差値を求めればよい。
【００１７】
偏差値から撤去すべき優先順位の導出は、偏差値の低いものから順に順位付けしてもよいし、今回の偏差値を１つの要素とし、これに他の要素を加味して撤去すべき優先順位を割り付けるように構成してもよい。たとえば、前回の判定対象期間における偏差値と今回の判定対象期間における偏差値とを比較し、偏差値が下降傾向にあるのか上昇傾向にあるのかを加味して、撤去順位を定めるように構成してもよい。
【００１８】
請求項２に係わる発明は、前記偏差値を求める対象項目に指定する１または２以上の管理項目の選択を受け付ける項目選択手段（１２５）を有する
ことを特徴とする請求項１に記載の遊技場営業管理装置である。
【００１９】
上記発明によれば、選択された管理項目に基づいて撤去すべき優先順位が付与される。これにより、それぞれの遊技場の経営にとって重要な管理項目に基づいて、撤去順位を導出することが可能になる。管理項目の選択方法は問わない。管理項目を個々に選択可能としてもよいし、予め定めた複数種類の組み合わせの中から選択するように構成してもよい。
【００２０】
請求項３に係わる発明は、前記判定対象期間の指定を受け付ける期間指定手段（１２６）を有する
ことを特徴とする請求項１または２に記載の遊技場営業管理装置である。
【００２１】
上記発明によれば、指定された判定対象期間に収集された情報に基づいて、撤去すべき優先順位が付与される。判定対象期間の指定方法は問わない。たとえば、期間の長さを、１ヶ月などの一定期間を単位に指定してもよいし、１日単位に任意の長さを指定可能にしてもよい。また、期間の開始日と終了日をそれぞれ指定してもよいし、開始日または終了日と期間の長さとを指定する構成であってもよい。
【００２２】
請求項４に係わる発明は、遊技場内の遊技機（１０）を複数にグループ分けし、それぞれのグループを母集団として偏差値を求め、各機種に、それぞれが属するグループ内での撤去すべき優先順位を付与する
ことを特徴とする請求項１、２または３に記載の遊技場営業管理装置である。
【００２３】
上記発明によれば、遊技場内に設置された遊技機（１０）を複数のグループに分ければ、それぞれのグループ内での撤去すべき優先順位を得ることができる。たとえば、パチンコ機とスロットマシンとにグループ分けするなどが考えられる。
【００２４】
請求項５に係わる発明は、遊技機（１０）の仕入れ価格である機械代の入力を機種ごとに受け付ける機械代入力手段（１２８）と、
機種ごとの粗利の目標値を前記機械代に対する比率で表した目標回収倍率の入力を受け付ける目標回収倍率入力手段（１２７）と、
前記データ蓄積手段（１３０）に蓄積記憶されている稼動情報および売上情報から、導入後の粗利の総額である総粗利を遊技機（１０）の機種別に求める総粗利演算手段（１２２）と、
機械代と総粗利とから前記目標回収倍率の達成状況を表わす収支情報を機種別に求めて出力する収支情報導出手段（１２３）と
をさらに有する
ことを特徴とする請求項１、２、３または４に記載の遊技場営業管理装置である。
【００２５】
上記発明によれば、仕入れた機械代の何倍の粗利を目標にするかを設定しておけば、目標回収倍率の達成状況を表わす収支情報が機種別に表示される。これにより、偏差値に基づいて導出された撤去順位に、目標回収倍率への到達度を加味した総合的な経営判断が支援される。
【００２６】
請求項６に係わる発明は、複数の遊技場から情報を収集し、各機種に付与したそれぞれの遊技場内での撤去すべき優先順位を遊技場相互間で対比可能に表示する
ことを特徴とする請求項１、２、３、４または５に記載の遊技場営業管理装置である。
【００２７】
上記発明によれば、それぞれの遊技場で各機種に付与した撤去すべき優先順位が遊技場相互間で対比して表示される。これにより、系列店全体での営業管理を円滑に進めることが可能になる。対比可能であれば表示の態様は問わない。たとえば、表形式でも、グラフを用いるものであってもよい。
【００２８】
請求項７に係わる発明は、複数の遊技場から情報を収集し、撤去すべき優先順位が、一の遊技場で上位にあり、かつ他の遊技場で下位にある機種を抽出して通知する
ことを特徴とする請求項１、２、３、４、５または６に記載の遊技場営業管理装置である。
【００２９】
上記発明によれば、ある遊技場で撤去すべき優先順位が上位にある機種を、他の遊技場に廻して効率よく再利用することが支援される。
【００３０】
請求項８に係わる発明は、インターネットを通じて遊技機情報を収集する遊技機情報収集手段（５０１）をさらに有し、
前記撤去順位導出手段（１２１）で求めた撤去すべき優先順位と前記遊技機情報収集手段（５０１）が収集した遊技機情報とを機種毎に対比して表示する
ことを特徴とする請求項１、２、３、４、５、６または７に記載の遊技場営業管理装置である。
【００３１】
上記発明によれば、インターネットを通じて遊技機情報を自動収集し、遊技場から撤去すべき優先順位と遊技機情報とが機種毎に対比して表示される。たとえば、遊技機情報を収集すべき、機種名、収集先（巡回先）のサイトのアドレス、収集すべき項目名などを設定すると、これに従って遊技機情報収集手段（５０１）が遊技機情報を収集するように構成することができる。また、機種名や項目名などのキーワードに基づいて収集先のサイトを自動検索するように構成してもよい。遊技機情報は、遊技機の再利用に係わる情報であればよい。
【００３２】
請求項９にかかわる発明は、前記遊技機情報収集手段（５０１）は、前記遊技機情報として遊技機の中古価格を収集する
ことを特徴とする請求項８に記載の遊技場営業管理装置である。
【００３３】
上記発明によれば、対象機種の中古価格が自動収集され、撤去すべき優先順位と中古価格とが機種別に対比して表示される。
【００３４】
請求項１０にかかわる発明は、前記遊技機情報収集手段（５０１）は、同一機種の中古価格を複数のサイトから収集し、これらの中古価格と撤去すべき優先順位とを機種毎に対比して表示する
ことを特徴とする請求項９に記載の遊技場営業管理装置である。
【００３５】
上記発明によれば、複数の収集先から同一機種の中古価格が収集される。中古価格は、地域や販売会社によって変動するので、複数の収集先から情報収集することで、遊技機の処分を定める際の判断材料としての価値が高まる。
【００３６】
複数の収集先から収集した同一機種に係る複数の中古価格を一覧表示してもよいし、何らかの統計処理や選定処理を施した中古価格を対比表示してもよい。たとえば、平均価格、最高値、上位Ｎ番目までの平均価格などを中古価格の代表値として求めて対比することができる。またこのとき、１つの機種に対して複数種類の代表値、たとえば、平均価格と最高値とを表示してもよい。
【００３７】
請求項１１にかかわる発明は、複数のサイトから収集した同一機種に対する複数の中古価格を所定の規則で並べ替えて表示する
ことを特徴とする請求項１０に記載の遊技場営業管理装置である。
【００３８】
上記発明によれば、複数のサイトから収集した同一機種に対する複数の中古価格が所定の規則で並べ替えられて表示される。所定の規則は特に限定しないが、たとえば、中古価格の昇順、降順のほか、中古価格の出現頻度順、収集先に与えた優先順位の順などがある。
【００３９】
請求項１２にかかわる発明は、複数のサイトから収集した同一機種に対する複数の中古価格の中の最高価格のみを、もしくは最高価格を他の価格と識別可能な態様で、撤去すべき優先順位と対比して表示する
ことを特徴とする請求項１０に記載の遊技場営業管理装置である。
【００４０】
上記発明によれば、同一機種に対する最高中古価格のみを、もしくは最高価格を他の価格と識別可能な態様で、撤去すべき優先順位と対比して表示する。最高価格のみまたはこれを他の価格と識別可能に表示することで、管理者は必要な情報を素早くかつ誤りなく把握して遊技機の撤去に係る判断を行うことができる。たとえば、中古価格の収集先を中古機放出の取引先業者に限定しておけば、実際に販売可能な最高価格に基づいて遊技機の処分に係わる判断が可能になる。
【００４１】
請求項１３に係わる発明は、前記撤去順位導出手段（１２１）で求めた撤去すべき優先順位を基準に遊技機の機種を複数にグループ分けし、各グループ内で中古価格を基準に機種を順位付けする
ことを特徴とする請求項８に記載の遊技場営業管理装置である。
【００４２】
上記発明によれば、撤去順位に基づいて複数に分類したグループ毎に、そのグループの中で中古価格に基づく優先順位付けがなされる。すなわち、グループ分けまでの段階は撤去順位が判断基準となり、グループ内での順位は、撤去順位に優先して中古価格が基準になる。例えば、撤去順位１〜１０、１１〜２０、２１〜３０にまずグループ分けし、各グループ内では中古価格の高い順に順位付けする。
【００４３】
請求項１４にかかわる発明は、前記対比表示をメーカ別にグループ分けして行なう
ことを特徴とする請求項８に記載の遊技場営業管理装置である。
【００４４】
上記発明によれば、メーカ別に、そのメーカ内での撤去順位と中古価格とを対比して把握することが可能になる。
【発明の効果】
【００４５】
本発明に係わる遊技場営業管理装置によれば、指定された判定対象期間中に収集された稼動情報や売上情報に基づいて、遊技機の稼動状態や利益状態が反映されるいくつかの管理項目の偏差値を機種別に求め、それらを比較することで、各機種に、この遊技場から撤去すべき優先順位を付与するので、どの機種を撤去して新たな機種に入れ替えるべきかを、勘や経験に頼らずに誰もが容易に把握することができる。
【００４６】
偏差値を求める対象項目に指定する１または２以上の管理項目を選択可能なものでは、それぞれの遊技場の経営にとって重要な管理項目に基づいて、撤去順位を導出できる。
【００４７】
判定対象期間を設定変更可能なものでは、各遊技場の事情や営業環境に応じた長さに判定対象期間を設定することができる。たとえば、それぞれの遊技場における遊技機の入れ替え周期に応じた長さに判定対象期間を設定する等が可能になる。
【００４８】
遊技場内に設置された遊技機を複数のグループに分けて、各グループ別に撤去すべき優先順位を付与するものでは、たとえば、遊技場内の遊技機をパチンコ機とスロットマシンとに部門別にグループ分けすれば、それぞれの部門内での撤去順位を把握することができる。
【００４９】
仕入れた機械代の何倍の粗利を目標にするかを設定すると、目標回収倍率の達成状況を示す収支情報が機種別に表示されるものでは、偏差値に基づいて導出された撤去すべき優先順位に、目標回収倍率への到達度を加味した総合的な経営判断が可能になる。
【００５０】
複数の遊技場から情報を収集し、各機種に付与したそれぞれの遊技場内での撤去すべき優先順位を遊技場相互間で対比可能に表示するものでは、系列店全体での営業管理を円滑に進めることが可能になる。さらに、ある遊技場で撤去すべき優先順位が上位にあり、かつ他の遊技場で下位にある機種を抽出して通知するものでは、撤去される遊技機を他の遊技場に廻して効率よく再利用することができる。
【００５１】
インターネットを通じて遊技機情報を自動収集し、遊技場から撤去すべき優先順位と遊技機情報とを機種毎に対比して表示するものでは、当該遊技場や系列遊技場以外からも広範囲に情報を収集して遊技機の撤去に係わる判断を下すことが可能になる。
【００５２】
遊技機の中古価格を自動収集し、撤去すべき優先順位と中古価格とを機種別に対比表示するものでは、中古価格を考慮に入れて撤去すべき機種を選定することができる。また、遊技場相互間で再利用すべきか中古市場に放出すべきかを判断して最適な処分を決定することができるという効果がある。
【００５３】
複数の収集先から同一機種に係る中古価格を収集するものでは、多くの情報に基づく的確な判断が可能になる。
【００５４】
複数のサイトから収集した同一機種に対する複数の中古価格を所定の規則で並べ替えて表示するものでは、整理された情報として中古価格を把握することができ、的確・迅速な判断が可能になる。特に、同一機種に対する最高中古価格のみを撤去すべき優先順位と対比して表示するものでは、管理者の判断が容易になる。
【００５５】
撤去順位に基づいて機種を複数にグループ分けし、各グループ内では中古価格に基づく優先順位付けを行なうものでは、各グループ内で中古価格に基づく判断が可能になる。たとえば、上位グループの中でどの機種を撤去すべきかをそのグループ内での中古価格に基づいて判断することが容易になるという効果がある。
【００５６】
収集した遊技機情報と撤去順位との対比をメーカ別に機種をグループ分けして行なうものでは、メーカ別に、そのメーカ内での撤去順位と中古価格とを対比して把握することができ、撤去対象が一部のメーカに偏るようなことを防止し、メーカ間のバランスを取りながら的確な撤去判断が可能になる。
【発明を実施するための最良の形態】
【００５７】
以下、図面に基づき本発明の実施の形態を説明する。
【００５８】
図２は、本発明に係わる遊技場営業管理装置が導入された遊技場２の全体像を示している。遊技場２は、多数の遊技機および景品交換所のあるホール部３と、遊技場営業管理装置の中核を成すホール管理コンピュータ１００等の設置された管理事務所４とに分けてある。
【００５９】
ホール部３には、図３に示すような遊技機島５が通路を隔てて複数形成されている。遊技機島５は、図３および図４に示すように、遊技機１０とこれに並設された遊技媒体貸出機２０とを組にしたものを、背中合わせに２列にして多数収容するとともに、遊技者の獲得した遊技媒体を回収し、かつその数を計数する遊技媒体計数器３０を島の中央に備えている。図３および図４に示す遊技機島５は、遊技機としてパチンコ機を収容しているが、スロットマシンやその他の遊技機を収容するものであってもよい。
【００６０】
各遊技機１０は、当該遊技機の稼動状態や特賞の発生状況などを示す各種のステータス情報や入玉数、出玉数などを表した稼動情報を出力する。遊技媒体貸出機２０は、投入された現金やプリペイドカードによって支払われた金額に見合った個数の遊技媒体（パチンコ玉やメダル）を貸し出す機械である。遊技媒体貸出機２０は、売上金額を表した売上情報などを出力する。遊技媒体計数器３０は、遊技客から回収した遊技媒体の計数値を示す信号を出力する。この信号の示す計数値は売上情報の一部を成している。
【００６１】
図５は、遊技場２に配置されている各種の機器を一括管理するための分散型ネットワーク管理システムを示している。遊技機１０や、遊技媒体貸出機２０、遊技媒体計数器３０はそれぞれ台コントローラ４０に接続されている。台コントローラ４０は、対応する遊技機１０等の各種動作や信号の送受信を検知、監視、制御するものである。
【００６２】
各台コントローラ４０は、ＨＡＬＬ−ＢＵＳを介して、ゲートウェイを兼ねた島コントローラ５０に接続されている。遊技機１０や遊技媒体貸出機２０、遊技媒体計数器３０が出力する各種の信号は、台コントローラ４０に入力され、さらに台コントローラ４０から島コントローラ５０に収集されて一時的に記憶される。
【００６３】
島コントローラ５０は、ＨＡＬＬ情報ネットワーク（ＬＡＮ：Local Area Network ）５５と接続されている。ＨＡＬＬ情報ネットワーク５５には、ホール管理コンピュータ１００のほかに、ホール管理端末機６０、景品管理端末機７０、ＰＯＳ装置８０、情報表示端末機９０などが接続されている。これらの各種装置には、ディスプレイ（液晶やＣＲＴ）、プリンタ、モデム、インカム（音声出力装置）等が必要に応じて更に接続されている。なお、台コントローラ４０等は、ホール管理コンピュータ１００の一部を構成している。
【００６４】
遊技機１０や遊技媒体貸出機２０、遊技媒体計数器３０とホール管理コンピュータ１００との間での情報の授受は、台コントローラ４０や島コントローラ５０を通じて行なわれる。また、遊技機１０、遊技媒体貸出機２０、遊技媒体計数器３０および遊技機島５には、それぞれ個別の識別番号が付与されており、ホール管理コンピュータ１００は、これらの識別番号により稼動情報や売上情報など各種情報の出所を認識するようになっている。
【００６５】
図１はホール管理コンピュータ１００の構成を示している。ホール管理コンピュータ１００は、種々のデータ処理を行なうＣＰＵ１１０を備えており、ＣＰＵ１１０のバス１０１に各種デバイスが接続されている。このうちＲＯＭ（リード・オンリ・メモリ）１０２は、ＣＰＵ１１０が実行する起動用プログラムや固定データを記憶している。ＲＡＭ（ランダム・アクセス・メモリ）１０３は、プログラムを実行時にロードして記憶したり、ＣＰＵ１１０がプログラムを実行する際に使用する各種のデータを一時的に記憶したりするメモリである。
【００６６】
固定ディスク装置１３０は、各種の情報を記憶する大容量の記憶装置であり、ＣＰＵ１１０が実行する種々のプログラムや遊技機１０等から収集した稼動情報、売上情報などの情報を蓄積記憶する。このほか、ＣＰＵ１１０のバス１０１には、液晶ディスプレイなどの表示手段１４１、レーザープリンタなどのプリンタ１４２、マウスやキーボードなど操作者から各種の情報を入力するための操作手段１４３が、それぞれインターフェイス回路を介して接続されている。
【００６７】
更に通信インターフェイスを介して台コントローラ４０（実際には島コントローラ５０が介在する）、景品管理端末機７０、ＰＯＳ装置８０、情報表示端末機９０がそれぞれ接続されている。また、外部通信Ｉ／Ｆ１４５により、他の遊技場のホール管理コンピュータ１００とネットワークを通じて接続可能になっている。
【００６８】
ＣＰＵ１１０は、各種のプログラムを実行することにより、データ収集手段１１１と、データ加工手段１１２と、操作表示制御手段１１３としての機能を果たす。データ収集手段１１１は、台コントローラ４０等を通じて遊技機１０や遊技媒体貸出機２０、遊技媒体計数器３０から稼動情報や売上情報を収集する機能を果たす。収集された情報は、データ蓄積記憶手段としての固定ディスク装置１３０に蓄積記憶される。詳細には、売上情報は売上情報データベース１３１に、稼動情報は遊技機情報データベース１３２に、遊技媒体計数器３０から収集した情報は計数器情報データベース１３３にそれぞれ蓄積記憶される。
【００６９】
データ加工手段１１２は、データ収集手段１１１が遊技機１０等から収集した情報（素データという）に各種の演算や加工を施して、多種多様な営業データに変換する機能等を果たす。素データには、現金やカードなどからの売上金額を示す現金貸玉金、カード貸玉金、入玉数（遊技者が遊技機に投入した遊技媒体の数）、出玉数（遊技者が遊技で獲得した遊技媒体数の数）、貸玉数（遊技者に貸し出した遊技媒体の数）、景品玉数（遊技客が計数機に投入して景品に交換した遊技媒体の数）、リプレイ玉数（小役などの発生により、遊技媒体を投入せずに遊技された分に相当する遊技媒体の数）、特賞回数（遊技機において遊技者に有利な特賞状態の発生回数）、スタート回数（パチンコ機で始動口への入賞による特別図柄装置の図柄変動回数またはスロットマシンでのゲーム回数）などがある。
【００７０】
素データを加工した営業データには、たとえば、台売り（１台の遊技機での１日あたりの売上げ額）、粗利（貸玉金−景品原価）、台粗（粗利÷遊技機台数）、Ｓ／Ｍ（規定の時間（１０分）におけるスタート回数）、特賞出玉（１回の特賞発生中に遊技機が遊技者に払い出した遊技媒体の数）、継続率（（特賞期間中を除く入玉数―特賞期間中を除く出玉数）÷貸玉数）、割数（景品玉数÷貸玉数×１０）、玉単価（（売上＋リプレイ売上）÷入玉数）、玉粗利（台粗÷入玉数）などがある。
【００７１】
データ加工手段１１２は、素データを各種の営業データに加工するほかに、撤去順位導出手段１２１、総粗利演算手段１２２、収支情報導出手段１２３としての機能を果たす。撤去順位導出手段１２１は、営業データや素データのうち指定された管理項目に係わる偏差値を、固定ディスク装置１３０に蓄積記憶されている情報のうち、指定された判定対象期間に収集された情報を基礎として、遊技機の機種別に求め、これらの偏差値を比較することで、各機種に、この遊技場２から撤去すべき優先順位を付与するようになっている。
【００７２】
総粗利演算手段１２２は、導入後の粗利の総額である総粗利を遊技機の機種別に求める機能を果たす。収支情報導出手段１２３は、各遊技機を仕入れた際の機械代と総粗利とから、目標回収倍率の達成状況を表わす収支情報を機種別に求めて出力する機能を果たす。目標回収倍率は、総粗利の目標額をその遊技機の機械代の何倍にするかを示す値である。
【００７３】
操作表示制御手段１１３は、表示手段１４１に表示する画面を作成したり、操作手段１４３を通じて各種の操作を受け付けたりする機能を果たす。また、項目選択手段１２５、期間指定手段１２６、目標回収倍率入力手段１２７、機械代入力手段１２８としての機能を有している。
【００７４】
項目選択手段１２５は、偏差値を求める対象に指定する１または２以上の管理項目の選択操作を受け付ける。期間指定手段１２６は、判定対象期間の指定を受け付ける。目標回収倍率入力手段１２７は、目標回収倍率の設定を受け付ける。機械代入力手段１２８は、各遊技機の仕入れ価格の入力を受け付ける。
【００７５】
図６は、項目選択手段１２５が管理項目の選択操作を受け付ける際に、表示手段１４１に表示する項目選択画面１５０の一例を表している。項目選択画面１５０の左側には選択可能な項目の候補を一覧表示した選択可能項目欄１５１があり、右側には判定対象として選択された項目が一覧表示される管理項目欄１５２が配置されている。選択可能項目欄１５１に表示されている選択項目から任意のものを選択した状態で追加釦１５３を操作すると、その項目が右側に移動して管理項目欄１５２に追加される。管理項目欄１５２で項目を選択して削除釦１５４を操作すると、その項目が左側の選択可能項目欄１５１に移動して管理項目欄１５２から削除される。
【００７６】
全追加釦１５５を操作すると選択可能項目欄１５１に表示されているすべての項目が管理項目欄１５２に移動して追加され、全削除釦１５６を操作すると管理項目欄１５２に表示されているすべての項目が選択可能項目欄１５１に移動して管理項目欄１５２から削除される。「ＯＫ」釦１５８を操作すると、その時点で管理項目欄１５２に表示されている項目が偏差値を求める対象の管理項目として確定するようになっている。
【００７７】
図７は、期間指定手段１２６が判定対象期間の指定を受け付ける際に表示手段１４１に表示する期間指定画面１６０の一例を表している。月指定のラジオ釦１６１を選択すると、判定対象期間をひと月単位に指定することができる。期間の終期は前日（前の営業日）が自動設定される。日付指定のラジオ釦１６２を選択すると、期間の開始日と終了日を個別に設定することができる。
【００７８】
さらに期間指定画面１６０では、偏差値を求める際の母集団を選択可能になっている、対象グループの選択欄１６３を操作することで、「パチンコ機」、「スロットマシン」、「全遊技機」のように、偏差値を求める際の母集団を選択することができるようになっている。「ＯＫ」釦１６４を操作すると、その時点の設定内容が確定するようになっている。
【００７９】
次に、ホール管理コンピュータ１００の動作を説明する。
【００８０】
ホール管理コンピュータ１００を稼動させる際には、基礎的な情報を管理者等が予め入力するようになっている。予め入力する情報には、遊技機の機種名、機種毎の導入日、機種毎の台数、機種毎の１台分の仕入れ価格（機械代）などがある。機種名は、各遊技機の識別番号に対応付けて入力するようになっており、収集した情報に付加されている識別番号からその情報がどの機種に係わる情報かを判断するようになっている。
【００８１】
ホール管理コンピュータ１００は、営業中、常に稼動情報や売上情報を収集し、これらを固定ディスク装置１３０に蓄積記憶している。管理者等が、ホール管理コンピュータ１００の表示手段１４１に表示される図示省略のメニュー画面で所定の項目を選択すると、当該遊技場２から撤去すべき機種に係わる情報等を取得する処理が行なわれる。
【００８２】
図８は、この処理の流れを示している。当該処理では、まず、判定対象にする管理項目の選択（ステップＳ２０１）と、判定対象期間の指定と、母集団の選択とを受け付ける（ステップＳ２０２）。これらの指定を前もって受け付けるように構成してもよい。次に、固定ディスク装置１３０に蓄積記憶されているデータの中から、指定された判定対象期間中に収集されたデータを抽出し（ステップＳ２０３）、これらを基に、指定された各管理項目について判定対象期間中の平均値や偏差を機種ごとに求めるとともに、管理項目ごとに標準偏差を求める（ステップＳ２０４）。
【００８３】
さらに、指定された各管理項目についての基準値を機種ごとに求め、さらに指定されたすべての管理項目に係わる基準値の平均値を機種ごとに求める（ステップＳ２０５）。基準値は、（偏差÷標準偏差）の演算で求まる値である。たとえば、台売りと台粗と入玉とが判定対象の管理項目に選択されている場合には、台売りの基準値ａ＝（機種別台売り平均−台売り平均）÷台売り標準偏差と、台粗の基準値ｂ＝（機種別台粗平均−台粗平均）÷台粗標準偏差と、入玉の基準値ｃ＝（機種別入玉平均−入玉平均）÷入玉標準偏差と、平均の基準値＝（ａ＋ｂ＋ｃ）÷３、をそれぞれ機種別に求める。
【００８４】
さらに、この平均の基準値から機種別の偏差値を求める（ステップＳ２０６）。機種別の偏差値は、偏差値＝平均の基準値÷判定対象にした管理項目数×１０＋５０、で求まる。こうして求めた偏差値の値が小さいものから順に、各機種に撤去すべき優先順位を付与し（ステップＳ２０７）、こうして求めた偏差値や撤去すべき優先順位を表示手段１４１に表示したり、印刷出力したりして管理者等に通知して（ステップＳ２０８）、処理を終了する（エンド）。
【００８５】
図９から図１１は、ホール管理コンピュータ１００が上記の処理を行なう際に扱うデータの一覧表である。各図中で「＊」を施した項目は、判定対象の管理項目として選択可能な項目である。図９は、機種ごとに機種名、導入日、台数、台売り、台粗、入玉、Ｓ／Ｍ、特賞出玉、継続率、割数、玉単価、玉粗利の各項目が表示されている。この図では、ＡＡＡ〜ＹＹＹまでの２５種類の機種についてのデータが集計されている。判定対象期間は、直近の１ヶ月が設定されている。
【００８６】
たとえば、機種ＡＡＡについて見ると、７台の機種ＡＡＡによる直近の１ヶ月間の売上げの合計から、機種ＡＡＡ１日１台あたりの平均の売上げ額を求めた値が台売りの欄３０１に導出される。また、７台の機種ＡＡＡによる直近の１ヶ月間の粗利の合計から、機種ＡＡＡの１日１台あたりの平均の粗利が台粗の欄３０２に導出される。さらに、７台の機種ＡＡＡによる直近の１ヶ月間の入玉の合計から、機種ＡＡＡの１日１台あたりの平均の入玉数を求めた値が入玉の欄３０３に導出される。他の項目、他の機種についても直近１ヶ月のデータから１日１台あたりの値が求めてある。
【００８７】
図９に示す例では、台売り、台粗、入玉が判定対象の管理項目に選択されており、これらの各管理項目について、標準偏差が算出されている。図１０は、図９のデータに基づいて求めた、機種別の基準値、偏差値、撤去順を示したものである。図１０の例では、機種ＹＹＹが、偏差値「３７．２」と一番小さく、撤去すべき優先順位である撤去順が１位になっている。続いて偏差値「３８．６」の機種ＢＢＢが撤去順２位になっており、以下、偏差値の小さい順に撤去順が付与されている。
【００８８】
図１１は、回収倍率に係わる情報を機種別に一覧表示したものである。同図では、機種ごとに、機種名と、３倍収支と、回収倍率と、経過日数と、１日台粗と、粗利と、機械代の各項目が表示されている。図１１は、目標回収倍率として３倍が設定された場合を示している。経過日数は、その機種を導入してから本日までの経過日数である。１日台粗は、導入してから本日までにその機種が生み出した１日１台あたりの平均の粗利である。粗利は、その機種を導入してから本日までにその機種が生み出した粗利の合計であり、総粗利演算手段１２２が算出する総粗利に相当する。機械代は、その機種の仕入れ価格の合計額である。
【００８９】
回収倍率は、その機種の（粗利÷機械代）の値で、収支情報である３倍収支は、その機種の（粗利−機械代×３）の値である。機械代に乗じる「３」の値は、目標回収倍率として設定した値であり、設定された値に応じて変更される。たとえば、目標回収倍率を４倍に設定すると、３倍収支に代えて４倍収支（粗利−機械代×４）が導出される。
【００９０】
なお、偏差値および偏差値に基づいて導出された撤去すべき優先順位のほかに、３倍収支の値や図９から図１１に示した他の項目の値を参照することで、撤去すべき機種や撤去の妥当性をより的確に判断することが可能になる。
【００９１】
図１２は、系列店など複数の遊技場で収集したデータを、本店に集約してデータ分析を行なうことのできる遊技場営業管理システムの一例を示している。本店４００および複数の支店Ａ、Ｂには、それぞれ図１に示したシステムが導入されており、支店Ａ、Ｂと本店４００とはインターネットや専用通信回線などで接続されている。本店４００は、図１で示した機能のほかに、他店からデータを収集する他店データ収集部４０１と、複数の遊技場から収集したデータを総合的に比較して解析し、その結果を表示する総合解析部４０２とを備えている。
【００９２】
図１３は、本店４００が各遊技場から収集したデータを比較可能に一覧表示した状態の一例を示している。この例では、品川店、新橋店、東京店のそれぞれの遊技場で導出された機種別の偏差値と撤去順とを一覧で表示している。これにより、店舗間での対比を容易に行なうことができる。
【００９３】
図１４は、撤去すべき優先順位が、一の遊技場で上位にあり、かつ他の遊技場で下位にある機種を抽出した結果を表示する再利用画面４１０の一例を示している。総合解析部４０２は、各遊技場から収集したデータに基づき、ある遊技場で撤去すべき優先順位が上位（たとえば、１位から３位の範囲や上位１割の範囲）にある機種が、他の遊技場で下位や中位（たとえば、最下位から５番目までの範囲や、下位５割の範囲）にあるか否かを調べて該当する機種とそれに関する情報を抽出する。
【００９４】
図１４に例示した再利用画面４１０の機種名欄４１１には、抽出された機種名が表示される。詳細情報欄４１２には、撤去元と再利用先の第１候補と再利用先の第２候補の遊技場について店名と撤去順位と偏差値と台数の各項目が一覧で表示される。抽出された結果が２以上存在する場合には、「次へ」釦４１３が有効になり、「次へ」釦４１３を操作することで次の抽出結果が表示される。「もどる」釦４１４を操作すると、前の抽出結果が再び表示されるようになっている。
【００９５】
再利用画面４１０を参照することで、ある遊技場から撤去される遊技機を他の系列店等で有効に再活用することができ、系列全体としての経営に貢献することができる。なお、複数の遊技場から収集したデータを対比可能に表示する際の表示態様や抽出結果の表示態様は、図１３や図１４に示すものに限定されるものではない。
【００９６】
図１５は、インターネットを通じて遊技機の中古価格などの遊技機情報を収集し、機種毎に遊技機情報とその遊技機の撤去すべき優先順位とを対比して表示可能な遊技場営業管理システム５００の一例を示している。遊技場営業管理システム５００は、図１２のシステムのホール管理コンピュータにさらに遊技機情報収集部５０１と収集内容設定部５０２と情報加工部５０３とを付加した構成を備えている。
【００９７】
遊技機情報収集部５０１は、インターネットを通じて１または２以上の遊技機情報提供サイト５１０にアクセスして各種の遊技機情報を収集する機能を果たす。収集内容設定部５０２は、遊技機情報として収集する項目や収集先の設定操作を受け付ける機能を果たす。遊技機情報収集部５０１は収集内容設定部５０２の設定内容に従って遊技機情報提供サイト５１０から遊技機情報を収集する。
情報加工部５０３は、遊技機情報収集部５０１が収集した遊技機情報を加工したり、遊技機情報（加工後を含む）と撤去すべき優先順位とを対比表示するための表示データを作成したりする機能を果たす。ここでは、遊技機情報として遊技機の中古価格を収集するように構成してある。
【００９８】
なお、収集は、予め定めた時間が到来する毎に自動的に行なうように構成されている。これに代えて、中古価格を対比表示する要求があった時点で情報収集を行なうように構成してもよい。
【００９９】
図１６は、収集内容設定部５０２が表示手段１４１（図１）に表示する収集内容設定画面５２０の一例を表わしている。この画面５２０は、遊技機情報として収集する項目や収集先の設定操作を受け付けるための入力画面である。この画面５２０には、対象機種設定欄５２１ａとＵＲＬ入力欄５２１ｂとＷｅｂページ表示釦５２１ｃとから構成される１組の設定欄５２１が複数組表示される。１組の設定欄５２１の数は適宜に増減可能になっている。
【０１００】
対象機種設定欄５２１ａは、中古価格を収集すべき遊技機のメーカ名・機種名の入力欄である。ＵＲＬ入力欄５２１ｂは、対象機種設定欄５２１ａに入力した機種に係わる中古価格の入手先サイトを特定するＵＲＬ（Uniform Resource Locator）の入力欄である。Ｗｅｂページ表示釦５２１ｃは、ＵＲＬ入力欄５２１ｂに設定したＵＲＬが示すＷｅｂページを表示させるための操作釦である。Ｗｅｂページ表示釦５２１ｃを操作してＵＲＬ入力欄５２１ｂに設定したウェブページの正否を確認し得るようになっている。
【０１０１】
参照先表示欄５２２には、過去に設定された遊技機のメーカ名・機種名やＵＲＬが表示される。参照先表示欄５２２に表示された情報の中から任意のものを選択することで、それと同じ内容が対象機種設定欄５２１ａあるいはＵＲＬ入力欄５２１ｂに設定されるようになっている。画面下部の「ＯＫ」釦５２３を操作すると、設定内容が確定し、「キャンセル」釦５２４を操作すると、今回の入力内容は破棄される。
【０１０２】
なお、対象機種設定欄５２１ａにメーカ名・機種名を設定せずにＵＲＬ入力欄５２１ｂのみを設定した場合には、別画面などで設定されたすべての機種についての中古価格をＵＲＬ入力欄５２１ｂに設定したサイトから入手するようになっている。たとえば、図７の期間指定画面１６０で設定した対象グループ（パチンコ機など）に属するすべての機種について中古価格の情報が収集される。
【０１０３】
図１７は、収集内容設定部５０２が表示する中古価格対比画面５３０の一例を示している。中古価格対比画面５３０では、遊技機の機種別に、メーカ名・機種名・台数・機械代・１台購入単価・撤去順位・中古価格１・中古価格２・中古価格３が対応付けて表示されている。この例では、最高価格を他の価格と識別可能とするために太枠で囲みかつマークを付してある。指定されたサイトからその機種の中古価格を収集できなかった場合には「−」が表示される。収集内容設定画面５２０では、撤去順位が１〜１０まで、１１〜２０まで、２１以降の３つに区分けし、空白行を挟んで表示してある。
【０１０４】
このように、撤去順位と中古価格とを対比して表示することにより、遊技場相互間で遊技機を再利用すべきか中古市場に放出すべきかの判断を的確・迅速・容易に下すことが可能になる。
【０１０５】
図１８は、撤去すべき優先順位を基準にグループ分けし、各グループ内では中古価格に基づいて順位付けした中古価格対比画面５４０の一例を示している。グループは、撤去順位が１〜１０まで、１１〜２０まで、２１以降の３つに分けてあり、それぞれのグループの中では、中古価格が高い順に並べ替えて表示してある。
【０１０６】
たとえば、撤去順位が１〜１０までのグループの中で中古価格が高い順にソートされるので、中古市場に放出することを基本に撤去を行なう場合には、そのグループの中でどの機種を中古市場に放出すべきかを容易に把握することができる。なお、グループ分けの基準は設定変更可能になっている。
【０１０７】
図１９は、メーカ別に分類した中古価格対比画面５５０の一例を示している。この画面５５０では、遊技機をメーカ別に分類し、それぞれのメーカの中では撤去すべき優先順位が高い順に並べ替えて表示してある。メーカ別に分類することで、各メーカから撤去対象を平均的に選択することが可能になる。
【０１０８】
以上、本発明の実施の形態を図面によって説明してきたが、具体的な構成は実施の形態に示したものに限られるものではなく、本発明の要旨を逸脱しない範囲における変更や追加があっても本発明に含まれる。たとえば、図９から図１１の一覧表は、紙面の都合上、３つに分けたが、１つに統合してデータを管理してもよい。また、図９から図１１に示す一覧表をデータの解析結果として表示手段１４１に表示してもよいし、いくつかの項目だけを表示したり、表示する項目を選択したりするなど、それらの表示態様は問わない。たとえば、機種名と偏差値と撤去順とを撤去順の上位のものから順に表示するような表示態様であってもよい。
【０１０９】
管理項目や判定対象として選択可能な管理項目は実施の形態で例示したものに限定されず、遊技場の経営判断に役立つものであれば、どのような項目であってもよい。
【０１１０】
また、実施の形態では、インターネットを介して収集する遊技機情報を中古価格としたが、遊技機の再利用の判断に関連する情報であれば、他の種類の情報であってもかまわない。図１６に示した収集内容設定画面５２０は例示であり、画面構成は異なるものであってもよい。また、図１０、図１１、図１３に示すような一覧表にそれぞれ中古価格の欄を追加して撤去順と中古価格とを対比可能に表示してもよい。
【０１１１】
このほか、機種毎に中古価格の基準値を設定しておき、中古価格を常時監視し、中古価格が基準値まで低下したとき、その旨の警告を出すように構成してもよい。中古市場へ放出するか否かを判断すべき時期を管理者が逃すことを防止することができる。
【図面の簡単な説明】
【０１１２】
【図１】本発明の実施の形態に係わる遊技場営業管理装置としてのホール管理コンピュータを示すブロック図である。
【図２】本発明の実施の形態に係わる遊技場営業管理装置が導入された遊技場の全体像を示す説明図である。
【図３】本発明の実施の形態に係わる遊技場営業管理装置が導入された遊技場に配置された遊技機島を示す斜視図である。
【図４】図３の遊技機島の中央部を拡大示した説明図である。
【図５】本発明の実施の形態に係わる遊技場営業管理装置を適用した分散型ネットワーク管理システムを示すシステム構成図である。
【図６】本発明の実施の形態に係わる遊技場営業管理装置が表示する項目選択画面の一例を示す説明図である。
【図７】本発明の実施の形態に係わる遊技場営業管理装置が表示する期間指定画面の一例を示す説明図である。
【図８】本発明の実施の形態に係わる遊技場営業管理装置が行なう撤去順の導出および表示に係わる処理を示す流れ図である。
【図９】本発明の実施の形態に係わる遊技場営業管理装置が撤去すべき優先順位を導出する際に扱うデータの一部を示す一覧表である。
【図１０】本発明の実施の形態に係わる遊技場営業管理装置が撤去すべき優先順位を導出する際に扱うデータの他の一部を示す一覧表である。
【図１１】本発明の実施の形態に係わる遊技場営業管理装置が収支情報を導出する際に扱うデータを示す一覧表である。
【図１２】系列店など複数の遊技場で収集したデータを、本店に集約してデータ分析を行なうことのできる遊技場営業管理システムの一例を示す説明図である。
【図１３】複数の遊技場から収集したデータを比較可能に一覧表示した状態の一例を示す説明図である。
【図１４】撤去すべき優先順位が、一の遊技場で上位にあり、かつ他の遊技場で下位にある機種を抽出した結果を表示する再利用画面の一例を示す説明図である。
【図１５】インターネットを通じて遊技機の中古価格などの遊技機情報を収集する遊技場営業管理システムの一例を示す説明図である。
【図１６】遊技機情報として収集する項目や収集先の設定操作が行なわれる収集内容設定画面の一例を示す説明図である。
【図１７】収集内容設定部が表示する中古価格対比画面の一例を示す説明図である。
【図１８】撤去すべき優先順位を基準にグループ分けし、グループ内では中古価格に基づいて順位付けした中古価格対比画面の一例を示す説明図である。
【図１９】メーカ別に分類した中古価格対比画面の一例を示す説明図である。
【符号の説明】
【０１１３】
２…遊技場
３…ホール部
４…管理事務所
５…遊技機島
１０…遊技機
２０…遊技媒体貸出機
３０…遊技媒体計数器
４０…台コントローラ
５０…島コントローラ
５５…ＨＡＬＬ情報ネットワーク
６０…ホール管理端末機
７０…景品管理端末機
８０…ＰＯＳ装置
９０…情報表示端末機
１００…ホール管理コンピュータ
１０１…バス
１０２…ＲＯＭ
１０３…ＲＡＭ
１１０…ＣＰＵ
１１１…データ収集手段
１１２…データ加工手段
１１３…操作表示制御手段
１２１…撤去順位導出手段
１２２…総粗利演算手段
１２３…収支情報導出手段
１２５…項目選択手段
１２６…期間指定手段
１２７…目標回収倍率入力手段
１２８…機械代入力手段
１３０…固定ディスク装置
１３１…売上情報データベース
１３２…遊技機情報データベース
１３３…計数器情報データベース
１４１…表示手段
１４２…プリンタ
１４３…操作手段
１４５…外部通信Ｉ／Ｆ
１５０…項目選択画面
１５１…選択可能項目欄
１５２…管理項目欄
１５３…追加釦
１５４…削除釦
１５５…全追加釦
１５６…全削除釦
１５８…「ＯＫ」釦
１６０…期間指定画面
１６１…月指定のラジオ釦
１６２…日付指定のラジオ釦
１６３…対象グループの選択欄
１６４…「ＯＫ」釦
３０１…台売りの欄
３０２…台粗の欄
３０３…入玉の欄
４００…本店
４０１…他店データ収集部
４０２…総合解析部
４１０…再利用画面
４１１…機種名欄
４１２…詳細情報欄
４１３…「次へ」釦
４１４…「もどる」釦
５００…遊技場営業管理システム
５０１…遊技機情報収集部
５０２…収集内容設定部
５０３…情報加工部
５１０…遊技機情報提供サイト
５２０…収集内容設定画面
５２１…１組の設定欄
５２１ａ…対象機種設定欄
５２１ｂ…ＵＲＬ入力欄
５２１ｃ…Ｗｅｂページ表示釦
５２２…参照先表示欄
５２３…「ＯＫ」釦
５２４…「キャンセル」釦
５３０、５４０、５５０…中古価格対比画面
【図１】
2005192998.tif 000003
【図２】
2005192998.tif 000004
【図３】
2005192998.tif 000005
【図４】
2005192998.tif 000006
【図５】
2005192998.tif 000007
【図６】
2005192998.tif 000008
【図７】
2005192998.tif 000009
【図８】
2005192998.tif 000010
【図９】
2005192998.tif 000011
【図１０】
2005192998.tif 000012
【図１１】
2005192998.tif 000013
【図１２】
2005192998.tif 000014
【図１３】
2005192998.tif 000015
【図１４】
2005192998.tif 000016
【図１５】
2005192998.tif 000017
【図１６】
2005192998.tif 000018
【図１７】
2005192998.tif 000019
【図１８】
2005192998.tif 000020
【図１９】
2005192998.tif 000021